(57)【要約】  【課題】  飲用の品質を高めることができる電気ポットの構造を提供する。  【解決手段】  生水タンク２と熱水タンク３には飲料を貯蔵するための貯液空間２０、３０が形成される。第一加熱ユニット４は生水タンク２と熱水タンク３との間に設置され、そして液体通路４１が形成される。生水タンク２の内の飲料は第一管路５１を経由して液体通路４１の内に進入し、熱を受けて飲用の温度に達した後、再び第二管路５２を経由して熱水タンク３の内まで輸送して貯蔵され、最後に飲用の温度に達した飲料は出水管路５３を経由して電気ポット本体１の取水口１２まで輸送されることにより、使用者が取水口１２から飲用の温度に達した飲料を取得するように構成されている。【選択図】    図２
0003135013.tif 000002
【実用新案登録請求の範囲】
【請求項１】
電気ポット本体（１）、生水タンク（２）、熱水タンク（３）、第一加熱ユニット（４）および複数個の管路（５）が含まれる電気ポットの構造であって、電気ポット本体（１）には内部空間（１０）と取水口（１２）が設けられ、生水タンク（２）には飲料を貯蔵するための貯液空間（２０）が形成され、熱水タンク（３）には飲用の温度に達した上記飲料を貯蔵するための貯液空間（３０）が形成され、第一加熱ユニット（４）は生水タンク（２）と熱水タンク（３）との間に設置され、そして第一加熱ユニット（４）には液体通路（４１）が設けられ、複数個の管路（５）には第一管路（５１）、第二管路（５２）と出水管路（５３）が形成され、第一管路（５１）の両端にはそれぞれ生水タンク（２）と液体通路（４１）の一端が連通され、第二管路（５２）の両端にはそれぞれ熱水タンク（３）と液体通路（４１）の他端が連通され、出水管路（５３）の両端にはそれぞれ熱水タンク（３）と取水口（１２）が連通されることを特徴とする電気ポット。
【請求項２】
他に少なくとも一個の動力ユニット（ｍ１）が設けられ、動力ユニット（ｍ１）は第一管路（５１）に設置されることにより、生水タンク（２）の内の飲料を第一加熱ユニット（４）の液体通路（４１）まで輸送することを特徴とする請求項１記載の電気ポット。
【請求項３】
他に動力ユニット（ｍ２）が設けられ、動力ユニット（ｍ２）は熱水タンク（３）の外表面または内部に設置されることを特徴とする請求項２記載の電気ポット。
【請求項４】
他に制御ユニット（６）が設けられ、制御ユニット（６）は第一加熱ユニット（４）、第二加熱ユニット（４’）と動力ユニット（ｍ１、ｍ２）に電気的に接続されることにより、第一加熱ユニット（４）、第二加熱ユニット（４’）と動力ユニット（ｍ１、ｍ２）の作動を制御することを特徴とする請求項３記載の電気ポット。
【請求項５】
電気ポット本体（１）には操作板（１３）が設けられ、操作板（１３）には複数個の制御ボタンが形成され、操作板（１３）は制御ユニット（６）に電気的に接続されることにより、上記制御ボタンを経由して一つの信号を制御ユニット（６）まで輸送し、さらに第一加熱ユニット（４）、第二加熱ユニット（４’）と動力ユニット（ｍ１、ｍ２）の作動を制御することを特徴とする請求項４記載の電気ポット。
【請求項６】
熱水タンク（３）には温度検知ユニット（ｓ）が設けられ、温度検知ユニット（ｓ）は制御ユニット（６）に電気的に接続され、温度検知ユニット（ｓ）によって一つの信号を制御ユニット（６）まで輸送することにより、制御ユニット（６）は第二加熱ユニット（４’）の作動を制御することを特徴とする請求項４記載の電気ポット。
【請求項７】
生水タンク（２）には水位検知部材（ｔ１）が設けられ、水位検知部材（ｔ１）は警告ユニットまたは制御ユニット（６）に電気的に接続されることを特徴とする請求項４記載の電気ポット。
【請求項８】
第二管路（５２）と熱水タンク（３）とが接続し合う一端は熱水タンク（３）の上部の位置に接近するように形成され、そして出水管路（５３）と熱水タンク（３）とが接続し合う一端は熱水タンク（３）の底部の位置に接近するように形成されることを特徴とする請求項１記載の電気ポット。
【請求項９】
熱水タンク（３）の外周面には断熱材または真空の断熱構造が被覆されることを特徴とする請求項１記載の電気ポット。
【請求項１０】
出水管路（５３）には制御弁が設けられ、上記制御弁は制御ユニット（６）に電気的に接続され、そして取水口（１２）と出水管路（５３）は熱水タンク（３）より相対的に低くなるように形成されることを特徴とする請求項４記載の電気ポット。
【請求項１１】
生水タンク（２）の貯液空間（２０）の容積は熱水タンク（３）の貯液空間（３０）の容積より大きくなるように形成されることを特徴とする請求項１記載の電気ポット。
【請求項１２】
生水タンク（２）の貯液空間（２０）の容積は少なくとも熱水タンク（３）の貯液空間（３０）の容積より三倍以上大きくなるように形成されることを特徴とする請求項１１記載の電気ポット。
【請求項１３】
生水タンク（２）の貯液空間（２０）の容積は熱水タンク（３）の貯液空間（３０）の容積の五倍であることを特徴とする請求項１１記載の電気ポット。
【考案の詳細な説明】
【技術分野】
【０００１】
本考案は、電気ポットに関するもので、特に電気ポット本体の内に生水タンクと熱水タンクを同時に設置し、上記生水タンクの内の飲料を加熱ユニットに通過させてから上記熱水タンクに進入させることにより、飲用の品質を高めると共に、エネルギーの消耗を減らすことができる電気ポットの構造に係るものである。
【背景技術】
【０００２】
図５を参照すると、従来の温熱電気ポットにおいては、電気ポット本体７、熱水タンク８および温水タンク９が含まれる。電気ポット本体７には内部空間７０が形成され、熱水タンク８と温水タンク９は全て内部空間７０の内に収容され、そして温水タンク９は熱水タンク９の下方に位置するように形成される。熱水タンク８には貯液空間８０と加熱器８１が形成され、貯液空間８０は飲料を収容するのに用いられ、そして加熱器８１を利用して上記飲料を加熱することにより、上記飲料を沸騰させる。温水タンク９には貯液空間９０が形成され、貯液空間９０は管路ａ１を経由して熱水タンク８と互いに連通するように形成される。電気ポット本体７には他に出水管路７１と取水口７２が設けられ、取水口７２は出水管路７１の一端に位置するように形成され、他に熱水タンク８と温水タンク９はそれぞれ管路ａ２、ａ３を経由して出水管路７１と互いに連通するように形成される。管路ａ２、ａ３にはそれぞれモーターｂ１、ｂ２が設けられることにより、動力を提供して熱水タンク８と温水タンク９の内の飲料を取水口７２まで輸送する。
【０００３】
再び図５を参照すると、従来の温熱電気ポットを使用する時、先ず上記飲料を熱水タンク８の貯液空間８０の内に注入し、そして加熱器８１を利用して上記飲料を飲用の温度まで加熱する。それから、上記飲用の温度に達した飲料を管路ａ１を経由して温水タンク９の貯液空間９０の内に流入して冷却を行い、そして温水タンク９の外周面には複数個の放熱フィン（図示せず）が環設されることにより、上記飲用の温度に達した飲料を温熱の飲料に冷却するのを速めることができる。使用者が熱水タンク８の内の飲料または温水タンク９の温熱の飲料を飲用したい場合、制御ユニットｃを経由してモーターｂ１、ｂ２を起動し、モーターｂ１（またはモーターｂ２）により高温の飲料（または温熱の飲料）を熱水タンク８（または温水タンク９）から出水管路７１を経由して取水口７２まで輸送して飲用することができるようにとしたものがある（例えば、特許文献１を参照）。
【特許文献１】中華民国公告第Ｍ２５６７３５号公報
【考案の開示】
【考案が解決しようとする課題】
【０００４】
上記従来の温熱電気ポットにおいては、一般として下記の問題点を有している。例えば、従来の温熱電気ポットの構造は加熱器８１を利用して熱水タンク８の内の全部の飲料を直接加熱するもので、貯液空間８０の内に収容される飲料の体積が比較的大きいため、比較的長い加熱時間が必要になるという問題点を有している。他に、加熱器８１が上記飲料に対する加熱または保温時において消耗するエネルギーも相対的に比較的多くなるため、エネルギーの浪費になってしまうという問題点を有している。その他に、従来の温熱電気ポットでは、上記飲料を加熱する過程において、使用者はやはり制御ユニットｃを操作してモーターｂ１、ｂ２を起動するため、飲用の温度に達していない飲料を取水口７２まで輸送してしまい、使用者が上記飲用の温度に達していない飲料を誤って飲用してしまうという問題点を有している。このように、上記のような従来の温熱電気ポットの構造をさらに改良しなければならない。
【０００５】
本考案はこのような問題点に鑑みて考案したものであって、その目的とするところは、電気ポット本体の内に生水タンクと熱水タンクを同時に設置し、そして上記生水タンクと上記熱水タンクとの間に加熱ユニットを設け、上記生水タンクの内の飲料を加熱ユニットに通過させてから上記熱水タンクに進入して貯蔵させることにより、上記飲料を飲用可能な温度まで加熱するのを確保することができ、それにより、飲用の品質を高めることができる電気ポットを提供しようとするものである。
【０００６】
本考案の別の目的は、電気ポット本体の内に生水タンクと熱水タンクを同時に設置し、そして上記生水タンクと上記熱水タンクとの間に加熱ユニットを設けることにより、上記生水タンクから上記熱水タンクまで流入する飲料を迅速に加熱することができるため、飲用の品質を高めると共に、エネルギーを節約することができる電気ポットを提供しようとするものである。
【０００７】
本考案の別の目的は、熱水タンクの内に水位検知部材を設けることにより、上記熱水タンクの内の飲料の水位が下限の水位より低くならないように確保することができるため、使用上の安全性を高めることができる電気ポットを提供しようとするものである。
【課題を解決するための手段】
【０００８】
上記目的を達成するために、本考案による電気ポットは、下記のようになるものである。すなわち、
電気ポット本体、生水タンク、熱水タンク、第一加熱ユニットおよび複数個の管路が含まれる。電気ポット本体には内部空間と取水口が設けられる。生水タンクには飲料を貯蔵するための貯液空間が形成される。熱水タンクには飲用の温度に達した飲料を貯蔵するための貯液空間が形成される。第一加熱ユニットは生水タンクと熱水タンクとの間に設置され、そして第一加熱ユニットには液体通路が設けられる。複数個の管路には第一管路、第二管路と出水管路が形成され、第一管路の両端にはそれぞれ生水タンクと液体通路の一端が連通され、第二管路の両端にはそれぞれ熱水タンクと液体通路の他端が連通され、出水管路の両端にはそれぞれ熱水タンクと取水口が連通される。
【０００９】
本考案による電気ポットはまた、他に少なくとも一個の動力ユニットが設けられ、動力ユニットは第一管路に設置されることにより、生水タンクの内の飲料を第一加熱ユニットの液体通路まで輸送できるように構成することもできる。また、他に動力ユニットを設け、動力ユニットを熱水タンクの外表面または内部に設置することもできる。また、他に制御ユニットを設け、この制御ユニットを第一加熱ユニット、第二加熱ユニットと動力ユニットに電気的に接続することにより、第一加熱ユニット、第二加熱ユニットと動力ユニットの作動を制御することもできる。また、電気ポット本体に操作板を設け、操作板に複数個の制御ボタンを形成し、操作板を制御ユニットに電気的に接続することにより、制御ボタンを経由して一つの信号を制御ユニットまで輸送し、さらに第一加熱ユニット、第二加熱ユニットと動力ユニットの作動を制御するように構成することもできる。また、熱水タンクに温度検知ユニットを設け、温度検知ユニットを制御ユニットに電気的に接続し、温度検知ユニットによって一つの信号を制御ユニットまで輸送することにより、制御ユニットが第二加熱ユニットの作動を制御するように構成することもできる。また、生水タンクに水位検知部材を設け、水位検知部材を警告ユニットまたは制御ユニットに電気的に接続することもできる。また、第二管路と熱水タンクとが接続し合う一端が熱水タンクの上部の位置に接近するように形成し、そして出水管路と熱水タンクとが接続し合う一端が熱水タンクの底部の位置に接近するように形成することもできる。また、熱水タンクの外周面に断熱材または真空の断熱構造を被覆することもできる。また、出水管路に制御弁を設け、制御弁を制御ユニットに電気的に接続し、そして取水口と出水管路を熱水タンクより相対的に低くなるように形成することもできる。また、生水タンクの貯液空間の容積を熱水タンクの貯液空間の容積より大きくなるように形成することもできる。また、生水タンクの貯液空間の容積を少なくとも熱水タンクの貯液空間の容積より三倍以上大きくなるように形成することもできる。また、生水タンクの貯液空間の容積は熱水タンクの貯液空間の容積の五倍であってもよい。
【考案の効果】
【００１０】
本考案の電気ポットの構造によれば、電気ポット本体の内に生水タンクと熱水タンクを同時に設置し、そして上記生水タンクと上記熱水タンクとの間に加熱ユニットを設けることにより、上記生水タンクから上記熱水タンクまで流入する飲料を迅速に加熱することができるため、飲用の品質を高めると共に、エネルギーを節約することができるという利点がある。
【００１１】
本考案の電気ポットの構造によれば、熱水タンクの内に水位検知部材を設けることにより、上記熱水タンクの内の飲料の水位が下限の水位より低くならないように確保することができるため、使用上の安全性を高めることができるという利点がある。
【考案を実施するための最良の形態】
【００１２】
本考案の実施の形態について、以下、図面を参照して説明する。
【００１３】
図１、２、３、４を参照すると、本考案の実施例の電気ポットの構造には電気ポット本体１、生水タンク２、熱水タンク３、第一加熱ユニット４、第二加熱ユニット４’、複数個の管路５および制御ユニット６が含まれ、電気ポット本体１には内部空間１０が形成され、生水タンク２、熱水タンク３と第一加熱ユニット４は全て内部空間１０の内に収容される。生水タンク２は管路５を経由して熱水タンク３と互いに連通するように形成されることにより、管路５を経由して生水タンク２の内の飲料を熱水タンク３の内まで輸送する。第一加熱ユニット４と第二加熱ユニット４’は選択的に電熱管または電子発熱ユニットからなり、第一加熱ユニット４は生水タンク２と熱水タンク３との間の管路５に設置され、第一加熱ユニット４は上記飲料を飲用の温度まで加熱するのに用いられる。第二加熱ユニット４’は熱水タンク３の外表面または内部の空間の内に設置されることにより、熱水タンク３の内の飲料の温度を維持することができる。制御ユニット６は第一加熱ユニット４と第二加熱ユニット４’の開閉またはその他の部材の作動を制御するのに用いられる。
【００１４】
再び図１、２、３、４を参照すると、本考案の実施例の電気ポット本体１には蓋体１１、取水口１２と操作板１３が設けられる。蓋体１１は枢転自在に電気ポット本体１の上部に設置され、そして内部空間１０の開口（図示せず）の上に対応するように設置されるため、電気ポット本体１の内の各部材を保護することができると共に、エネルギーの散逸を減らすことができる。取水口１２は電気ポット本体１の外側の表面に設けられ、取水口１２は管路５を経由して熱水タンク３と互いに連通することにより、熱水タンク３の内の飲料を輸出することができる。操作板１３は好ましくは電気ポット本体１の上部の外表面に設置され、操作板１３には複数個の制御ボタン（標示せず）が形成され、操作板１３は制御ユニット６に電気的に接続され、さらに上記制御ボタンにより各種の制御の信号を送出して各部材の間の作動を行う。その他に、電気ポット本体１には好ましくは生水タンク２と熱水タンク３に対応するように水位窓（標示せず）が設けられ、上記水位窓から上記飲料の貯蓄量を検知することができる。
【００１５】
再び図１、２、３、４を参照すると、本考案の実施例の生水タンク２には貯液空間２０が形成され、生水タンク２は飲用しようとする上記飲料を貯蔵するのに用いられる。熱水タンク３にも貯液空間３０が形成され、熱水タンク３は飲用の温度に達した飲料を収容するのに用いられる。生水タンク２の貯液空間２０の容積は好ましくは熱水タンク３の貯液空間３０の容積より大きくなり、そして貯液空間２０の容積は少なくとも貯液空間３０の容積の三倍以上であり、さらに貯液空間２０の容積は好ましくは貯液空間３０の容積の五倍である。第一加熱ユニット４には液体通路４１が形成され、液体通路４１は螺旋状の方式で第一加熱ユニット４の内部に形成されることにより、上記飲料が通過するのに用いられることができる。
【００１６】
再び図１、２、３、４を参照すると、本考案の実施例の管路５には第一管路５１、第二管路５２と出水管路５３が形成され、第一管路５１は生水タンク２と第一加熱ユニット４の液体通路４１との間に設置されることにより、生水タンク２と第一加熱ユニット４は互いに連通するように形成される。第二管路５２は熱水タンク３と第一加熱ユニット４の液体通路４１との間に設置されることにより、熱水タンク３と第一加熱ユニット４は互いに連通するように形成される。出水管路５３の一端は熱水タンク３と連通し、そして他端は取水口１２と連通するように形成される。
【００１７】
その他に、再び図１、２、３、４を参照すると、第二管路５２と熱水タンク３とが接続し合う一端は熱水タンク３の上部の位置に接近するように形成され、そして出水管路５３と熱水タンク３とが接続し合う一端は熱水タンク３の底部の位置に接近するように形成される。第一管路５１と出水管路５３にはそれぞれ動力ユニットｍ１、ｍ２（例えば、モーターまたは水揚げポンプ）が設けられることにより、動力を提供して上記飲料を管路５の中に流動させる。制御ユニット６は第一加熱ユニット４、第二加熱ユニット４’と動力ユニットｍ１、ｍ２に電気的に接続されることにより、使用者が制御ユニット６の各種の制御ボタンを経由して第一加熱ユニット４、第二加熱ユニット４’と動力ユニットｍ１、ｍ２の作動を制御する。さらに、第一加熱ユニット４と生水タンク２との間および熱水タンク３と取水口１２との間には背圧弁（標示せず）が設けられることにより、上記飲料が生水タンク２と熱水タンク３まで回流するのを避けることができる。
【００１８】
再び図１、２、３、４を参照すると、本考案の実施例の電気ポットの構造を作動しようとする時、先ず加熱しようとする飲料を生水タンク２の貯藉空間２０の内まで貯蔵する。それから、操作板１３を利用して一つの信号を制御ユニット６まで発させることにより、制御ユニット６は第一加熱ユニット４を起動して予め設定される飲用の温度まで加熱し始める。第一加熱ユニット４により飲用の温度まで加熱されると、制御ユニット６はもう一つの信号を動力ユニットｍ１まで伝送し、動力ユニットｍ１は生水タンク２の内の飲料を第一管路５１を経由して液体通路４１の内に送入する。液体通路４１は螺旋状で第一加熱ユニット４の内部に設置されることにより、上記飲料と第一加熱ユニット４との間の熱交換の径路を増やすことができるため、上記飲料の温度を上記飲用の温度まで接近するように加熱することができる。
【００１９】
再び図１、２、３、４を参照すると、上記液体が第一加熱ユニット４を通過し、そして上記飲用の温度まで加熱された後は、第二管路５２を通過して熱水タンク３の貯液空間３０の内に貯蔵される。上記飲用の温度に達した上記飲料を飲用しようとする時、使用者は操作板１３を利用して制御ユニット６が一つの信号を動力ユニットｍ２まで発するのを制御することにより、動力ユニットｍ２の駆動により熱水タンク３の内の飲料を出水管路５３に通過させ、そして取水口１２から排出して使用者に飲用を提供することができる。その他に、本考案の実施例においても動力ユニットｍ２を省略してもよく、そして相対的に出水管路５３が取水口１２に接近する位置において制御弁（図示せず、例えば電磁弁など）を設け、さらに上記制御弁は制御ユニット６に電気的に接続され、取水口１２と出水管路５３は相対的に熱水タンク３より低く形成されるため、使用者が操作板１３を利用して一つの信号を制御ユニット６まで輸送し、制御ユニット６を経由して上記制御弁を開くことにより、熱水タンク３の内の飲料は重力の方式により取水口１３から排出される。
【００２０】
上述を総合すると、本考案の実施例においては第一加熱ユニット４を利用して管路５の内の飲料の温度を迅速に加熱することにより、熱水タンク３の内に進入する飲料は飲用の温度に接近するように迅速に達することができるため、使用者が飲用の温度に達していない上記飲料を誤って飲用してしまうのを避けることができ、さらに大量な上記飲料に対して加熱を行う必要がなくなる。生水タンク２の容積は熱水タンク３の容積より少なくとも数倍大きいため、生水タンク２により大部分の上記飲料を貯蔵するのに役立つことができると同時に、同じ貯水容積の前提で熱水タンク３が占める容積を大幅に縮小することができる。このように、第二加熱ユニット４’は極高いパワーを消耗することなく熱水タンク３の内の飲料を適当な飲用の温度に維持することにより、保温時におけるエネルギーの消耗を有効に節約することができるため、本考案においては飲用の品質を確実に高めることができると共に、エネルギーを節約することができる。
【００２１】
再び図１、２、３を参照すると、本考案の実施例において熱水タンク３には選択的に温度検知ユニットｓが設置され、温度検知ユニットｓは即時に熱水タンク３の内の飲用の温度を監視するのに用いられ、温度検知ユニットｓは制御ユニット６に電気的に接続される。熱水タンク３の内の飲料の温度が上記飲用の温度より高くなると、温度検知ユニットｓは一つの信号を制御ユニット６まで伝送し、制御ユニット６により第二加熱ユニット４’の加熱の作動を停止させる。それに反して、熱水タンク３の内の飲料の温度が上記飲用の温度より低くなると、温度検知ユニットｓはもう一つの信号を制御ユニット６まで伝送し、制御ユニット６により第二加熱ユニット４’の加熱の作動を起動させて保温の作動を行わせる。その他に、熱水タンク３の外周面には選択的に断熱材（図示せず、例えば断熱綿または発泡スチロールなど）または真空の断熱構造（図示せず、例えば真空ガラスの仕切り層）が被覆されることにより、熱水タンク３が外部の環境に相対して生じる熱交換の消耗を低く抑えることができると共に、エネルギーの散逸を減らすことができ、さらに第二加熱ユニット４’のエネルギーの消耗を低く抑えることができる。
【００２２】
再び図１、２、３を参照すると、本考案の実施例において生水タンク２と熱水タンク３にはそれぞれ水位検知部材ｔ１、ｔ２が設けられ、生水タンク２の内の飲料の水位が下限の水位より低くなると、水位検知部材ｔ１は警告ユニット（図示せず、例えばブザーまたは警告ランプなど）に電気的に接続され、さらに一つの警告信号を上記警告ユニットまで輸送することにより、生水タンク２の内の飲料の水位が低過ぎると警告する。水位検知部材ｔ２は制御ユニット６に電気的に接続され、仮に熱水タンク３の内の飲料の水位が下限の水位より低くなると、水位検知部材ｔ２は給水の信号を制御ユニット６まで輸送し、この時に制御ユニット６は第一加熱ユニット４と動力ユニットｍ１を起動し、生水タンク２の内の飲料を加熱すると共に、上記飲料を熱水タンク３の内まで輸送することにより、熱水タンク３の内は適当な飲料の量を確保することができると同時に、熱水タンク３の内に液体がないため、空焚きが生じてしまうのを避けることができる。このように、本考案においては、飲用の便利性と安全性を確実に高めることができる。
【産業上の利用可能性】
【００２３】
上述の如く、図５に示す従来の温熱電気ポットの構造によれば、貯液空間８０の内に収容される全部の飲料を直接加熱することにより、過大なエネルギーの浪費になるなどの問題点があった。図１に示す本考案の電気ポットの構造によれば、電気ポット本体１の内に生水タンク２と熱水タンク３を同時に設置すると共に、生水タンク２と熱水タンク３との間に第一加熱ユニット４を設け、生水タンク２の内の飲料を第一加熱ユニット４に通過させてから熱水タンク３に進入して貯蔵させることにより、使用者が飲用の温度に達した飲料を飲用するのを確保することができるため、飲用の品質を確実に高めることができる。
【００２４】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本考案の実施例の電気ポットの構造による組み立てられた状態を示す斜視図である。
【図２】本考案の実施例の電気ポットの構造による組み立てられた状態を示す断面図である。
【図３】本考案の実施例の電気ポットの構造による飲料の加熱と輸送を行うところ３０説明する図である。
【図４】本考案の実施例の電気ポットの構造による取水口から飲料を取り出すところを説明する図である。
【図５】従来の電気ポットの構造による組み立てられた状態を示す断面図である。
【符号の説明】
【００２６】
１    電気ポット本体                    １０    内部空間
１１    蓋体                          １２    取水口
１３    操作板                          ２    生水タンク
２０    貯液空間                        ３    熱水タンク
３０    貯液空間                        ４    第一加熱ユニット
４’    第二加熱ユニット            ４１    液体通路
５    管路                          ５１    第一管路
５２    第二管路                      ５３    出水管路
６    制御ユニット                    ７    電気ポット本体
７０    内部空間                      ７１    出水管路
７２    取水口                          ８    熱水タンク
８０    貯液空間                      ８１    加熱器
９    温水タンク                    ９０    貯液空間
ａ１    管路                          ａ２    管路
ａ３    管路                          ｂ１    モーター
ｂ２    モーター                        ｃ    制御ユニット
ｍ１    動力ユニット                  ｍ２    動力ユニット
ｓ    温度検知ユニット              ｔ１    水位検知部材
ｔ２    水位検知部材
【図１】
0003135013.tif 000003
【図２】
0003135013.tif 000004
【図３】
0003135013.tif 000005
【図４】
0003135013.tif 000006
【図５】
0003135013.tif 000007